(57)【要約】  本発明に係る装丁方法は、紙葉（１）から成る紙葉束（６）の縁部（３）を綴じることによって紙葉（１）の紙葉束（６）を装丁する方法において、紙葉（１）が、前記縁部（３）から距離（Ａ）をおいた位置で、前記縁部（３）と平行に延びる第一折り線（２）を備え、かつ、紙葉（１）が、前記縁部（３）と前記第一折り線（２）との間であって、前記第一折り線（２）から距離（Ｂ）を置いた位置に、前記第一折り線（２）と平行に配置された第二折り線（４）を備えている紙葉（１）から成る紙葉束（６）を使用して装丁を行うことを特徴とする。  【選択図】    図８
2019502576.tif 000002
【特許請求の範囲】
【請求項１】
紙葉（１）から成る紙葉束（６）の縁部（３）を綴じることによって紙葉（１）の紙葉束（６）を装丁する方法において、
紙葉（１）が、前記縁部（３）から距離（Ａ）をおいた位置で、前記縁部（３）と平行に延びる第一折り線（２）を備え、かつ、
紙葉（１）が、前記縁部（３）と前記第一折り線（２）との間であって、前記第一折り線（２）から距離（Ｂ）を置いた位置に、前記第一折り線（２）と平行に配置された第二折り線（４）を備えている
紙葉（１）から成る紙葉束（６）を使用して装丁を行う
ことを特徴とする装丁方法。
【請求項２】
前記折り線（２，４）を形成する線に沿って、紙葉（１）を別々に予め折り曲げることによって第一及び／又は第二折り線（２，４）を得る
ことを特徴とする請求項１に記載の方法。
【請求項３】
前記折り線（２，４）を形成する同じ線に沿って紙葉（１）を別々に予め二重に折り曲げることによって、第一及び／又は第二折り線（２，４）を得る
ことを特徴とする請求項１又は２に記載の方法。
【請求項４】
前記折り線（２，４）を形成する線に沿って、紙葉束（６）の紙葉（１）をスコアリングすることによって、第一及び／又は第二折り線（２，４）を得る
ことを特徴とする請求項１〜３の何れか一項に記載の方法。
【請求項５】
第一及び第二折り線（２，４）の間の距離（Ｂ）が、紙葉束（６）の全ての紙葉（１）に対して同じである
ことを特徴とする請求項１〜４の何れか一項に記載の方法。
【請求項６】
第一及び第二折り線（２，４）間の距離（Ｂ）が１〜４ミリメートルである
ことを特徴とする請求項１〜５の何れか一項に記載の方法。
【請求項７】
第一及び第二折り線（２，４）間の距離（Ｂ）が２〜３ミリメートルである
ことを特徴とする請求項６に記載の方法。
【請求項８】
紙葉束（６）の全ての紙葉（１）が、前記縁部（３）から同じ距離（Ｃ）おいた位置に第二折り線（４）を有する
ことを特徴とする請求項１〜７の何れか一項に記載の方法。
【請求項９】
好ましくはＵ字形又はＶ字形の装丁用背部材（８）であって、前記縁部（３）と前記第二折り線（４）との間の距離（Ｃ）が、本質的に、装丁用背部材（８）の深さに対応するか、又は、装丁用背部材（８）の深さより幾らか大きい装丁用背部材（８）を、装丁のために使用する
ことを特徴とする請求項１〜８の何れか一項に記載の方法。
【請求項１０】
紙葉（１）に、前記第二折り線（４）まで連続する印刷（１６）が予め施されている
ことを特徴とする請求項１〜９の何れか一項に記載の方法。
【請求項１１】
お互いに向けて位置合わせされた隣接する紙葉（１）の側面（７）に、一方の側面（７）から他方の側面（７）にかけて両方の紙葉（１）の第二折り線（４）を超えてシームレスに連続する印刷（１６）を施し、
印刷（１６）の一部を、一方の側面（７）において、関連する紙葉（１）の第二折り線（４）まで施し、かつ、
他方の側面（７）の印刷（１６）の一部を、隣接する紙葉（１）の第二折り線（４）まで施す
ことを特徴とする請求項１〜１０の何れか一項に記載の方法。
【請求項１２】
一方の側面（７）の印刷（１６）と、他方の側面（７）の印刷（１６）とが、オーバーラップ部分（１７）によって第二折り線（４）を超えて連続している
ことを特徴とする請求項１１に記載の方法。
【請求項１３】
紙葉（１）が、
紙葉（１）の縁部（３）から距離（Ａ）をおいた位置で、縁部（３）と平行に延びる第一折り線（２）と、
前記縁部（３）と第一折り線（２）との間における、前記第一折り線（２）から距離（Ｂ）おいた位置に、前記第一折り線（２）と平行に配置された第二折り線（４）と
を備えていることを特徴とする紙葉から成る紙葉束。
【請求項１４】
装丁用背部材と、該背部材に綴じられた紙葉束（６）とを備えた書籍又はフォルダにおいて、
装丁される紙葉束（６）が請求項１３による紙葉束（６）である
ことを特徴とする書籍又はフォルダ。
【請求項１５】
装丁用背部材と、該背部材に綴じられている紙葉束とを備えた書籍又はフォルダにおいて、
少なくとも一部の紙葉（１）が、紙葉（１）の縁部（３）から距離（Ａ）をおいた位置で、前記縁部（３）と平行に延びる第一折り線（２）を備え、
かつ、紙葉（１）が、前記縁部（３）と第一折り線（２）との間において、前記第一折り線（２）から距離（Ｂ）をおいた位置に、前記第一折り線（２）と平行に配置された第二折り線（４）を備えている
ことを特徴とする書籍又はフォルダ。
【発明の詳細な説明】
【技術分野】
【０００１】
本発明は、紙葉束の装丁方法に関し、例えば、書籍又は類似の品物を形成する方法に関する。本発明は、特に、その紙葉が平坦に開かれ得、かつ、印刷が二枚の開いた紙を横切って継ぎ目なく行われる書籍又はフォルダを得ることに関する。
【０００２】
この最後の特徴は、特に、開いた書籍の幅全体に跨って写真やイラストが広がる写真集や雑誌等の書籍を作成するために望まれる。
【背景技術】
【０００３】
伝統的に、書籍の作成のための複数の異なる方法が公知である。
【０００４】
例えば、単一の紙葉束の一方の縁部を接着することによって、半分に折り曲げられていない単一の紙葉束から書籍をまとめる方法が知られている。
【０００５】
この接着を強力にして、本を開閉する時に紙葉が緩まないようにするために紙葉束は、常に、限られた距離、例えば、半ミリメートルに亘って接着剤の中にあるようにされ、接着剤もまた、束を構成する紙葉の間に入るようにされている。
【０００６】
現在の接着剤は、非常に可撓性があり、紙葉が緩むことなく、接着後に書籍を完全に平坦に開くことができるようにする。
【０００７】
しかしながら、書籍を完全に開くことによって、接着中に紙葉の間に入った接着剤は、明瞭に目に見えてしまう。
【０００８】
この目に見える接着剤は、紙葉の印刷が綴じ部分まで続く場合に迷惑になる。実際に、この接着剤は印刷を乗り越えて、そこで印刷の美的外観を低下させることになる。
【０００９】
ラミネート加工された印刷可能なヒンジと一体化された紙葉も公知であり、前記ヒンジは、書籍等を形成するために、これらの紙葉から成る束を装丁することを可能にし、紙葉束を開いた後に紙葉が平坦になるようにする。
【００１０】
しかしながら、このような紙葉の生産は、高価なプロセスであり、また、このプロセスは、多くの人手を要する。
【００１１】
ベルギー特許出願BE2012/0759 及びベルギー特許出願BE 2013/0014で開示されている公知の方法は、紙葉束の縁部を装丁用背部材の中に入れ、その中で固定するものであり、装丁を行う際に、前記縁部から一定の距離を開けて、縁部と平行にのびる折り線を形成するために、同じ線に沿って、各紙葉が予め別々に二重に折り曲げられた紙葉束を使用する。
【００１２】
ここで、二重折りは、紙葉のストリップを最初に一方向に折り曲げ、次いで、他の方向に折り曲げることを言う。
【００１３】
このような方法の利点は、折り線が、書籍を開く時に、紙葉をこの折り線に沿って折ることを可能することにあり、かつ、紙葉束を背部材の中に固定した時に、紙葉が、それらのシャープな折り線が相互に対向する状態におかれ、その結果、印刷が、二つの隣接する折り線を横切って、開かれた紙葉を通ってシームレスに連続し得ることにある。
【００１４】
他の利点は、紙葉束が開かれた時に、開かれた紙葉の間にギャップがなく、その結果、束を背部材に装丁するために用いられる接着剤、縫い目又はステープルが見えず、従って、それらが、一方の紙から他方の紙まで連続する印刷と干渉することがないことにある。
【００１５】
しかしながら、実際には、開かれた紙が完全に平坦にのびるのではなく、折り線の近くに（僅かな）膨らみがある。
【００１６】
この膨らみは、印刷や写真が二つの開いた紙に跨って広がっている場合に特に厄介であり、折り目の近くの印刷を見え難くさせ得る。
【発明の開示】
【００１７】
本発明の目的は、上記した欠点及び他の欠点の少なくとも一つの解決方法を提供することにある。
【００１８】
本発明は、紙葉束を装丁する方法に関し、該方法では、
紙葉束の縁部が固定され、
装丁のために、前記縁部から距離を置き、縁部と平行にのびる第一折り線がある紙葉束が使用され、
また、紙葉には、前記第一折り線から距離を置き、かつ、第一折り線と平行にのびる第二折り線があり、前記第二折り線が前記縁部と前記第一折り線との間にある。
【００１９】
二重の平行折り線を使用することによって、束を開いた時に紙が完全に平坦に広がるという利点を有する。
【００２０】
二つの折り線があり、その結果、紙を二か所で折ることができるので、上記した利点が得られる。その結果、束を開いた時に紙葉の膨らみを防止することが可能になる。
【００２１】
他の利点は、二つの折り線を設けることによって、装丁された紙葉束が開かれた時に、第二折り線がお互いに対向し、二つの隣接する折り線を跨る印刷が、開かれた紙に跨ってシームレスに連続することが可能になることにある。
【００２２】
開かれた紙の間にギャップが生じないので、紙葉束を止める接着剤、縫い目又はステープルが見えない。
【００２３】
他の利点は、本発明による方法が非常に安価に実施できることにあり、かつ、例えば、一体的で、ラミネート加工され、かつ、印刷可能なヒンジを備えた高価な紙葉を必要としないことにある。
【００２４】
実際の実施形態では、関連する折り線を形成するために、同じ線に沿って予め別々に二重に折り曲げることにより第一及び第二の折り線を得ることができる。
【００２５】
このことは、それに沿って紙葉を容易に折り曲げて両方向に開くことができるシャープな折り線を得ることができるという利点を有する。
【００２６】
好ましくは、第一及び第二の折り線の間の距離は、２〜３ミリメートルである。
【００２７】
二つの折り線の間の距離をこのようにすることにより、殆どのケースで最高の結果が得られる。
【００２８】
また、この距離は、例えば、非常に薄い紙を使用する場合、又は、大量の枚数の紙が紙葉束に含まれている場合、より広く又はより狭くされ得ることは明らかである。
【００２９】
本発明の好ましい特徴によれば、装丁するために、好ましくはＵ字状又はＶ字状の背部材である装丁用背部材が使用され、かつ、前記縁部と第二折り線との間の距離が、本質的に、装丁用背部材の深さに対応するか、又は、装丁用背部材の深さより若干長い。
【００３０】
このことは、装丁用背部材に紙葉束を固定した時に、第二折り線のレベルで、紙葉を、装丁用背部材の上で折り返すことができるという利点を有する。
【００３１】
好ましい実施例では、お互いに向き合っている隣接する紙葉の側面に、いわばシームレスに両方の紙葉の第二折り線を横切って広がる印刷が施され、一方の側面における印刷部分が、関連する紙葉の第二折り線まで施され、かつ、他方の側面における印刷部分が、隣接する紙葉の第二折り線まで施される。
【００３２】
この実施例の利点は、印刷、例えば、写真が、隣接する紙葉の二つの側面に跨って広がり得ることにある。さらに、印刷を、前記縁部まで連続させる必要がないので、紙葉の印刷が容易になる。
【００３３】
また、本発明は、紙葉束に関し、この紙葉束においては、紙葉が、紙葉の縁部から距離を開けて、紙葉の縁部と平行に伸びる第一折り線を有し、紙葉は、また、前記第一折り線から距離を開けて、第一折り線に平行に配置された第二の折り線を有し、この第二折り線は、前記縁部と第一折り線との間にある。
【００３４】
本発明は、また、装丁用背部材及びそこに固定される紙葉束を備えた書籍又はフォルダに関し、ここで、紙葉束は本発明による紙葉束である。
【００３５】
本発明の特徴をより良く示す目的のために、本発明による紙葉束の装丁方法及びそれにより得られる書籍又はフォルダの幾つかの好ましい実施例が、添付図面を参照した、非限定的な実施例によって、以下に説明される。
【図面の簡単な説明】
【００３６】
【図１】本発明に係る紙葉束の紙葉を概略的に示している。
【図２】図１の紙葉の実施可能な製造方法を示している。
【図３】図１の紙葉の実施可能な製造方法を示している。
【図４】装丁用背部材に固定される準備が整っている、本発明による紙葉束を概略的に示している。
【図５】装丁用背部材に固定された本発明による紙葉束を概略的に示している。
【図６】本発明による書籍又はフォルダを概略的に示している。
【図７】閲覧中の図６に示した書籍又はフォルダを示している。
【図８】閲覧中の図６に示した書籍又はフォルダを示している。
【図９】閲覧中の図６に示した書籍又はフォルダを示している。
【図１０】図６における矢印Ｆ１０視図である。
【図１１】図１０の折り曲げられた紙葉を、分離された状態で概略的に示している。
【図１２】図１１の変形実施例を概略的に示している。
【発明を実施するための最良の形態】
【００３７】
図１は、本発明による紙葉束１の装丁方法で使用される本発明による紙葉束１の紙葉１を概略的に示している。
【００３８】
この紙葉１は、紙葉１の縁部３から距離Ａ離れた位置で、縁部３と平行に延びる第一折り線２を有する。
【００３９】
前記縁部３は、紙葉１が固定されることになる縁部３である。
【００４０】
また、紙葉１は、前記第一折り線２から距離Ｂ離れた位置で、第一折り線２と平行に延びる第二折り線４を有する。
【００４１】
第二折り線４は、前記縁部３と第一折り線２との間にある。従って、第二折り線４と前記縁部３との間の距離Ｃは、距離Ａから距離Ｂを引いた値である。
【００４２】
第一折り線２と第二折り線４との間の距離Ｂは、好ましくは、１〜４ミリメートルの間であり、より好ましくは、２〜３ミリメートルの間である。
【００４３】
第一及び第二折り線２及び４は、異なる方法で実現され得る。
【００４４】
図２及び図３は、実施可能な変形を示している。これらの図面に示すように、第一及び第二折り線２及び４は、関連する折り線２及び４を形成するために、ある線に沿って紙葉１のストリップ５を予め個別に折ることによって得られる。
【００４５】
その結果、紙葉１のストリップ５は、好ましくは、少なくとも９０°の角度にわたって、より好ましくは、少なくとも１２０°の角度にわたって折り曲げられる。
【００４６】
この実施例では、紙葉１は、関連する線に沿って毎回１回のみ折り曲げられている。
【００４７】
紙葉１は、ストリップ５を、一方向に一回、他方向に一回折り曲げることによって、関連線に沿って二重に、即ち、二回にわたって折り曲げることも可能である。このようにして、より鋭い折り線２及び４を得ることが可能になる。
【００４８】
図２に示すように、第二折り線４を、関連線に沿って紙葉１を二重に折り曲げることによって形成し、第一折り線２を、関連線に沿って一度折り曲げることによって形成することは、どちらも除外されない。
【００４９】
第一及び第二折り線２及び４を形成するために紙葉１を折り曲げた後、紙葉１のストリップ５は、紙葉１の平面まで折り戻され、その結果、図１に示すように、紙葉１が得られる。
【００５０】
紙葉１を一度又は二度折り曲げる代わりに、関連する折り線２及び４を形成するために、ある線に沿って紙葉束の紙葉１をスコアリングすることによって第一及び／又は第二折り線２及び４を得ることも可能である。
【００５１】
図２及び３に示したステップに従って紙葉１を折り曲げた後、紙葉１の束６は、図４に示すように形成される。
【００５２】
図４から分かるように、束６は、その縁部７が相互に対向して配置された複数の紙葉１から成り、固定されるべき紙葉１の縁部３は、相互に整列されている。
【００５３】
図面から明らかなように、第一及び第二折り線２及び４の間の距離Ｂは、紙葉束６の全ての紙葉に対して同じである。これは、必ずしもそうである必要はない。
【００５４】
紙葉束６の全ての紙葉１が、前記縁部３から同じ距離Ｃの位置に第二折り線４を備えている。これは、必ずしもそうである必要はない。
【００５５】
次いで、紙葉束６は、例えば、図４に示すように、装丁用背部材８に固定され得る。この場合、装丁用背部材８はＵ字形背部材８であり、これは、基部１０に熱溶融接着剤１１を備えた、例えば、金属製のＵ字形部分９から成る。
【００５６】
さらに、装丁用背部材８には、二つのエンドペーパー１２が設けられており、これらエンドペーパー１２は、例えば、カバー１３の何れかの側面に設けられる厚紙から成る。
【００５７】
また、装丁用背部材８は、他の形態をとることも可能であり、例えば、Ｖ字形の装丁用背部材８とすることができることは明らかである。
【００５８】
紙葉束６は、装丁用背部材の８のＵ字形部分９に配置され、それにより、図５に示すように、紙葉１の縁部３が熱溶融接着剤１１の層に対向して配置されるようになる。
【００５９】
紙葉１の第二折り線４は、Ｕ字形部分９の幾らか上方に位置する。
【００６０】
次いで、熱溶融接着剤１１の層が、熱源１４によって加熱される。熱溶融接着剤１１は、その結果、溶融して液状になり、紙葉束６の紙葉１がその中に固定され得るようになる。
【００６１】
熱溶融接着剤１１の固化後、紙葉束６は、熱溶融接着剤１１を介して装丁用背部材８に取り付けられる。
【００６２】
次いで、図６に示すように、装丁用背部材８のＵ字形部分６のアーム１５がお互いに向けて絞り込まれる。これにより、装丁用背部材８における紙葉束６の強い固定が確保され、アーム１５の自由端に対する紙葉束６の接続が、これらの間に目に見える隙間が生じることなく確実にされる。
【００６３】
装丁された紙葉束６は、ここで、装丁された紙葉１を有するフォルダに仕上げられる。
【００６４】
図６から分かるように、紙葉束を開いた時に、紙葉は一つの平面で延びるようになる。
【００６５】
実際には、明確にするために紙葉１に対してある程度の厚さを与えることで、幾分歪んでいる図面に示す結果よりも良好な結果になる。
【００６６】
図７〜図９は、ページをめくる時に、装丁用背部材８のＵ字形部分がどのように動くことになるかを概略的に示している。
【００６７】
エンドペーパー１２が開かれる時、それは、図７から明らかなようにＵ字形部分のアーム１５に対向して折り曲げられ得る。
【００６８】
さらにページがめくられると、Ｕ字形部分９が、他方のエンドペーパー１２に向けて矢印Ｄに従って回転することになるので、Ｕ字形部分９のアーム１５は、このエンドペーパー１２から離れる方向に動くことになる。これは図８に示されている。
【００６９】
さらにページをめくると、図９に示すように、装丁用背部材８のＵ字形部分９は、装丁用背部材８の他方のアーム１５までさらに回転して、最終的に他方のエンドペーパー１２と対向するようになる。
【００７０】
この装丁用背部材８の回転は、紙葉束６のページをめくる時に、いうなれば自動的に行われ、紙葉束６が、あるページで開かれた時に、紙葉１が平らに広がることを保証する。
【００７１】
図１０に示すように、紙葉１には、予め印刷１６が施されている。ここで、印刷１６は第二折り線４まで続き、そのためストリップ５は印刷されないままにされている。
【００７２】
紙葉１の側面７には、例えば、イラスト１６又は写真の一部が印刷されており、イラスト１６は、一方の紙葉１から他方の紙葉１まで折り線２及び４を跨いでシームレスに良好に連続し、一つの連続したイラストを形成している。これは、例えば、フォトアルバムを編集する時に有用であり、これにより、二つの紙葉１に跨って広がる大きな写真を、二つの紙葉の間に不都合なギャップを設けることなく、印刷することができる。
【００７３】
図１１は、二枚の印刷された紙葉１を示しており、ここでは、装丁後に、両方の紙葉１の印刷１６が、一緒に全体の印刷を形成することになる。印刷１６が第二折り線４までしか続いていないことは、この図面から明らかであり得る。
【００７４】
図１２は変形実施例を示しており、ここでは、ストリップ５の一部に、印刷１６のオーバーラップ部分１７が印刷されている。言い換えれば、印刷１６は、第二折り線４を超えて、即ち、通過して延びている。
【００７５】
図６に示すように、紙葉１は、第二折り線４の位置で相互に対向するので、このオーバーラップ部分１７は、装丁した紙葉束６では消滅することになる。
【００７６】
熱溶融接着剤１１を省略することができ、かつ、紙葉束６が、装丁用背部材８に配置される前にステープル留めされ得ることは明らかである。
【００７７】
また、装丁用背部材８におけるＵ字形部分９のアーム１５を絞ることを省略できることも明らかである。
【００７８】
図示した実施例では、紙葉束６の全ての紙葉１に二つの折り線２及び４が設けているが、一部の紙葉１だけに二つの折り線２及び４を設けることは除外されない。
【００７９】
本発明は、添付図面に示され、かつ、実施例として説明された実施の形態に決して限定されるものではなく、本発明に係る紙葉束を装丁する方法及びその方法によって得られる書籍又はフォルダは、本発明の範囲を逸脱することなく、様々な変形例に従って実現され得る。
【図１】
2019502576.tif 000003
【図２】
2019502576.tif 000004
【図３】
2019502576.tif 000005
【図４】
2019502576.tif 000006
【図５】
2019502576.tif 000007
【図６】
2019502576.tif 000008
【図７】
2019502576.tif 000009
【図８】
2019502576.tif 000010
【図９】
2019502576.tif 000011
【図１０】
2019502576.tif 000012
【図１１】
2019502576.tif 000013
【図１２】
2019502576.tif 000014
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
紙葉（１）から成る紙葉束（６）の縁部（３）を綴じることによって紙葉（１）の紙葉束（６）を装丁する方法であって、
紙葉（１）が、前記縁部（３）から距離（Ａ）をおいた位置で、前記縁部（３）と平行に延びる第一折り線（２）を備え、かつ、
紙葉（１）が、前記縁部（３）と前記第一折り線（２）との間であって、前記第一折り線（２）から距離（Ｂ）を置いた位置に、前記第一折り線（２）と平行に配置された第二折り線（４）を備えている
紙葉（１）から成る紙葉束（６）を使用して装丁を行う方法において、
前記折り線（２，４）を形成する同じ線に沿って紙葉（１）を別々に予め二重に折り曲げることによって、第一及び／又は第二折り線（２，４）を得る
ことを特徴とする装丁方法。
【請求項２】
前記折り線（２，４）を形成する線に沿って、紙葉（１）を別々に予め折り曲げることによって第一及び／又は第二折り線（２，４）を得る
ことを特徴とする請求項１に記載の方法。
【請求項３】
前記折り線（２，４）を形成する線に沿って、紙葉束（６）の紙葉（１）をスコアリングすることによって、第一及び／又は第二折り線（２，４）を得る
ことを特徴とする請求項１又は２に記載の方法。
【請求項４】
第一及び第二折り線（２，４）の間の距離（Ｂ）が、紙葉束（６）の全ての紙葉（１）に対して同じである
ことを特徴とする請求項１〜３の何れか一項に記載の方法。
【請求項５】
第一及び第二折り線（２，４）間の距離（Ｂ）が１〜４ミリメートルである
ことを特徴とする請求項１〜４の何れか一項に記載の方法。
【請求項６】
第一及び第二折り線（２，４）間の距離（Ｂ）が２〜３ミリメートルである
ことを特徴とする請求項５に記載の方法。
【請求項７】
紙葉束（６）の全ての紙葉（１）が、前記縁部（３）から同じ距離（Ｃ）おいた位置に第二折り線（４）を有する
ことを特徴とする請求項１〜６の何れか一項に記載の方法。
【請求項８】
好ましくはＵ字形又はＶ字形の装丁用背部材（８）であって、前記縁部（３）と前記第二折り線（４）との間の距離（Ｃ）が、本質的に、装丁用背部材（８）の深さに対応するか、又は、装丁用背部材（８）の深さより幾らか大きい装丁用背部材（８）を、装丁のために使用する
ことを特徴とする請求項１〜７の何れか一項に記載の方法。
【請求項９】
紙葉（１）に、前記第二折り線（４）まで連続する印刷（１６）が予め施されている
ことを特徴とする請求項１〜８の何れか一項に記載の方法。
【請求項１０】
お互いに向けて位置合わせされた隣接する紙葉（１）の側面（７）に、一方の側面（７）から他方の側面（７）にかけて両方の紙葉（１）の第二折り線（４）を超えてシームレスに連続する印刷（１６）を施し、
印刷（１６）の一部を、一方の側面（７）において、関連する紙葉（１）の第二折り線（４）まで施し、かつ、
他方の側面（７）の印刷（１６）の一部を、隣接する紙葉（１）の第二折り線（４）まで施す
ことを特徴とする請求項１〜９の何れか一項に記載の方法。
【請求項１１】
一方の側面（７）の印刷（１６）と、他方の側面（７）の印刷（１６）とが、オーバーラップ部分（１７）によって第二折り線（４）を超えて連続している
ことを特徴とする請求項１０に記載の方法。
【請求項１２】
紙葉（１）が、
紙葉（１）の縁部（３）から距離（Ａ）をおいた位置で、縁部（３）と平行に延びる第一折り線（２）と、
前記縁部（３）と第一折り線（２）との間における、前記第一折り線（２）から距離（Ｂ）おいた位置に、前記第一折り線（２）と平行に配置された第二折り線（４）と
を備え、
前記第一及び／又は第二折り線（２，４）が、折り線（２，４）を形成する同じ線に沿って紙葉（１）を別々に予め二重に折り曲げることによって、形成されている
ことを特徴とする紙葉から成る紙葉束。
【請求項１３】
装丁用背部材と、該背部材に綴じられた紙葉束（６）とを備えた書籍又はフォルダにおいて、
装丁される紙葉束（６）が請求項１２による紙葉束（６）である
ことを特徴とする書籍又はフォルダ。
【請求項１４】
装丁用背部材と、該背部材に綴じられている紙葉束とを備えた書籍又はフォルダにおいて、
少なくとも一部の紙葉（１）が、紙葉（１）の縁部（３）から距離（Ａ）をおいた位置で、前記縁部（３）と平行に延びる第一折り線（２）を備え、
かつ、紙葉（１）が、前記縁部（３）と第一折り線（２）との間において、前記第一折り線（２）から距離（Ｂ）をおいた位置に、前記第一折り線（２）と平行に配置された第二折り線（４）を備え、
前記第一及び／又は第二折り線（２，４）が、折り線（２，４）を形成する同じ線に沿って紙葉（１）を別々に予め二重に折り曲げることによって、形成されている
ことを特徴とする書籍又はフォルダ。
【国際調査報告】
2019502576.tif 000015
2019502576.tif 000016
2019502576.tif 000017